(57)【要約】【課題】液晶表示部４を備えたリモコン装置では、リモコンモードの他に液晶表示部４にテレビ画像を表示させるテレビモードを備えている。テレビモードからリモコンモードに一時的に切り替えると、テレビモードに復帰するまでの間、テレビ画像を見ることができないのでドラマのストーリーなどがわからなくなる。【解決手段】テレビモードからリモコンモードに切り替えられたら設定項目６は表示するが、背景７を透過させてテレビ画像を引き続き背景７の部分に表示させるようにした。【選択図】  図３
2005167562.tif 000002
【特許請求の範囲】
【請求項１】
液晶表示部を備え、この液晶表示部に機器の作動制御に関する制御項目を表示し、機器の作動を制御するリモコンモードと、この液晶表示部にテレビ画像を表示させるテレビモードとを切り替え自在に有するテレビ機能付きリモコン装置において、テレビモードからリモコンモードに切り替えられた際に、制御項目が表示されている画面の背景を透過させ、テレビ画像を継続して表示させるようにしたことを特徴とするテレビ機能付きリモコン装置。
【請求項２】
リモコンモードでの上記背景を、半透明もしくは不透明であって複数の色彩もしくは模様の複数種類の背景から任意に選択し、変更し得ることを特徴とする請求項１記載のテレビ機能付きリモコン装置。
【請求項３】
上記制御項目の表示デザインを複数種類の表示デザインから任意に選択し、変更し得るようにしたことを特徴とする請求項１もしくは請求項２に記載のテレビ機能付きリモコン装置。
【発明の詳細な説明】
【技術分野】
【０００１】
本発明は、液晶表示部を備え、この液晶表示部に機器の作動制御に関する制御項目を表示し、機器の作動を制御するリモコンモードと、この液晶表示部にテレビ画像を表示させるテレビモードとを切り替え自在に有するテレビ機能付きリモコン装置に関する。
【背景技術】
【０００２】
リモコン装置では、機器の作動を制御する際に各種制御項目についての値を設定し、あるいは変更する。この設定および変更の際や設定および変更のあと、各制御項目について設定された値を確認するため、表示部が設けられている。従来はこの表示部は予め設定されたマークの表示非表示や７セグメント表示手段を用いた表示などの限られた表示しかできなかった。
【０００３】
これに対して近年、液晶表示部をリモコン装置に設け、制御項目および各種制御項目についての設定内容を自由に表示することのできるリモコン装置が提供されつつある。また、各種制御項目についての設定操作や変更操作は常時行われるわけではないので、制御項目についての設定操作や変更操作を行わない状態では、液晶表示部にテレビ画像を表示させるようにした、いわゆるテレビ機能付きリモコン装置が提案されている（例えば特許文献１）。
【０００４】
上記従来のテレビ機能付きリモコン装置では、リモコンとして機能するリモコンモードと、テレビ受像器として機能するテレビモードとに切り替えることができる。すなわち、リモコンとして機能させる際には、リモコンモードに切り替える。すると、液晶表示部には各種制御項目が表示される。使用者はそれら制御項目の中から所望するものを選択し、その選択された制御項目について設定値を設定し、あるいはすでに設定されている設定値を変更する。
【０００５】
制御項目についての設定値の設定操作や変更操作が終了すると、テレビモードに切り替える。すると液晶表示部の表示されている画像がテレビ画像に切り替えられる。テレビモードでリモコン装置を作動させている状態でふたたびリモコンとして機能させたい場合にはテレビモードからリモコンモードに切り替えればよい。
【特許文献１】特開平９−１７２６８９号公報
【発明の開示】
【発明が解決しようとする課題】
【０００６】
上記従来のテレビ機能付きリモコン装置では、テレビモードでテレビ画像を液晶表示部に表示させている状態からリモコンモードに切り替えると、液晶表示部の表示内容はテレビ画像から制御項目に完全に切り替わり、テレビ画像を鑑賞し続けることができなくなる。制御項目についての設定作業等を終了させ、リモコンモードからテレビモードに復帰させれば、テレビ画面をふたたび鑑賞することができるものの、リモコンモードに切り替えられていた間のテレビ画像の内容は鑑賞できなかったので、特にドラマなどを鑑賞していた場合などでは、ストーリーがわからなくなるという不具合が生じる。
【０００７】
そこで本発明は、上記の問題点に鑑み、テレビモードからリモコンモードに切り替えてもテレビ画像を鑑賞し続けることのできるテレビ機能付きリモコン装置を提供することを課題とする。
【課題を解決するための手段】
【０００８】
上記課題を解決するために本発明によるテレビ機能付きリモコン装置は、液晶表示部を備え、この液晶表示部に機器の作動制御に関する制御項目を表示し、機器の作動を制御するリモコンモードと、この液晶表示部にテレビ画像を表示させるテレビモードとを切り替え自在に有するテレビ機能付きリモコン装置において、テレビモードからリモコンモードに切り替えられた際に、制御項目が表示されている画面の背景を透過させ、テレビ画像を継続して表示させるようにしたことを特徴とする。
【０００９】
制御項目は液晶表示部の画面の全面を覆うように表示されるのではなく、相互に間隔を空けて表示される。制御項目が表示されない部分は通常は不透明な背景として、制御項目の視認性を損なわない色彩で表示されたり、あるいは模様が表示される。この背景を透過させると背景部分にテレビ画像を表示させることができる。制御項目が表示されている部分についてはテレビ画像を見ることができないものの背景部分のテレビ画像を見ることができるので、例えばリモコンモード中でもドラマのストーリーがわからなくなるという不具合を解消することができる。
【００１０】
ところで、テレビモードからリモコンモードに一時的に切り替えるのではなく、テレビモードが作動していない状態でリモコンモードに切り替えるような場合には、リモコンモーでの背景を透過させる必要はない。そこで、そのような場合には、リモコンモードでの上記背景を、半透明もしくは不透明であって複数の色彩もしくは模様の複数種類の背景から任意に選択し、変更し得るようにして、使用者の嗜好にあった表示画面にデザインを変更できるようにしてもよい。
【００１１】
また、背景だけではなく、上記制御項目の表示デザインを複数種類の表示デザインから任意に選択し、変更し得るようにしてもよい。
【発明の効果】
【００１２】
以上の説明から明らかなように、本発明は、リモコンモードに切り替えても、それまで見ていたテレビ画像を継続して見続けることができるので、例えばドラマなどを見ていてもリモコンモード中にテレビ画像の鑑賞が中断されず、ストーリーがわからなくなるというような不具合が生じない。
【発明を実施するための最良の形態】
【００１３】
図１を参照して、１は浴室に設置される風呂リモコンであり、この風呂リモコン１が作動を制御する給湯装置２に対して通信線１１を介して接続されている。また、３は台所に設置された台所リモコンであり、同じく通信線１１に接続され、給湯装置２の作動を制御することができる。
【００１４】
風呂リモコン１には大型の液晶表示部４が設けられており、給湯装置２の作動制御に関する制御項目がこの液晶表示部４に表示される。また、この風呂リモコン１にはテレビ機能が備えられており、液晶表示部４にはテレビ画像が表示される。
【００１５】
図２を参照して、テレビ機能を作動させるにはテレビ側の電源スイッチ１２を押し操作する。すると、風呂リモコン１の作動状態はテレビモードになり、液晶表示部４にはテレビ画像が表示されると共に、一対のスピーカ５からテレビ音声が発音される。スピーカ５から発音されるテレビ音声の音量は音量スイッチ５１を操作することにより調節することができる。また、チャンネルスイッチ４１を操作することによりチャンネルを変更することができる。
【００１６】
一方、リモコン側の電源スイッチ１３を押し操作すると風呂リモコン１はリモコンモードになり、液晶表示部４には図示のような各種制御項目が表示される。そして中央に位置する十字スイッチ１４を操作して所定の制御項目を選択し、給湯装置２の作動を制御するように構成されている。これらの制御は図示しないが風呂リモコン１に内蔵されたマイコンにより行われる。
【００１７】
図２に示す液晶表示部４はテレビ側の電源スイッチ１２をオフにした状態でリモコン側の電源スイッチ１３をオンにして、風呂リモコンの作動モードをリモコンモードにした状態を示している。すなわち、液晶表示部４には各種制御項目６が背景７上に一定に間隔を空けた状態で表示されている。
【００１８】
この状態でテレビ側の電源スイッチ１２をオンにすると、風呂リモコン１の作動モードはテレビモードに切り替わり、液晶表示部４にはテレビ画像が表示される。その状態でふたたびリモコン側の電源スイッチ１３を押し操作すると、風呂リモコン１の作動モードはリモコンモードに再度切り替わる。但し、テレビモードはその際継続しており、図３に示すように、背景７の部分が透過してテレビ画像を続けて表示するようにした。
【００１９】
このため、各設定項目６を選択して各種設定操作を行う間、テレビ画像が背景７の部分に表示され続ける。各種設定操作が終了し、テレビ側の電源スイッチ１２を押し操作すると、風呂リモコン１の作動モードはテレビモードに復帰する。その際、液晶表示部４から各種設定項目６が消え、テレビ画像だけが引き続いて表示されることになる。
【００２０】
テレビモードが停止している状態でリモコンモードが選択されると、背景７は透過させてテレビ画像を表示させる必要がないので、使用者の嗜好によって任意の色彩を選択し得るようにしてもよく、あるいは画像を表示させるようにしてもよい。
【００２１】
また、設定項目６についても、図４に示すように、デザインを変更し得るようにしてもよい。すなわち、設定項目６の側方にマーク６１を表示させるようにしてもよく、また、設定項目６の枠線およびマーク６１を予め用意し、風呂リモコン内の記憶手段に格納しておいた複数のものの中なら選択して変更し得るようにしてもよい。
【００２２】
なお、本発明は上記した形態に限定されるものではなく、本発明の要旨を逸脱しない範囲内において種々の変更を加えてもかまわない。
【図面の簡単な説明】
【００２３】
【図１】本発明の一実施の形態の構成を示す図
【図２】風呂リモコンの詳細を示す図
【図３】詠唱表示部の他の状態を示す図
【図４】制御項目のデザインを示す図
【符号の説明】
【００２４】
１ 風呂リモコン
２ 給湯装置
４ 液晶表示部
５ スピーカ
６ 設定項目
７ 背景
１１ 通信線
１２ 電源スイッチ
１３ 電源スイッチ
６１ マーク
【図１】
2005167562.tif 000003
【図２】
2005167562.tif 000004
【図３】
2005167562.tif 000005
【図４】
2005167562.tif 000006